(57)【要約】【課題】情報処理装置全体の小型化にも対応可能な生体認証装置及び入力デバイスを備えた情報処理装置を提供すること。【解決手段】情報処理装置は、二軸の方向に検出用の電極パターンが設けられ近赤外光を透過可能な透明基板を備え、前記透明基板の一方の主面側を入力操作面２０ａとしてこの入力操作面に物体が触れた前記二軸の空間での位置を検出する検出機構２０と、前記検出機構２０の前記入力操作面２０ａの近傍に設けられ、前記物体を被認証体として配置させる被認証体配置部５１と、前記被認証体配置部５１に配置された前記被認証体に対して前記近赤外光を照射する第１光源６２と、前記検出機構２０の前記透明基板の他方の主面側に配置され、前記近赤外光が照射された前記被認証体を前記透明基板を介して撮影する撮影用カメラ１１１とを具備する。【選択図】図３
2010186289.tif 000002
【特許請求の範囲】
【請求項１】
二軸の方向に検出用の電極パターンが設けられ近赤外光を透過可能な透明基板を備え、前記透明基板の一方の主面側を入力操作面としてこの入力操作面に物体が触れた前記二軸の空間での位置を検出する検出機構と、
前記検出機構の前記入力操作面の近傍に設けられ、前記物体を被認証体として配置させる被認証体配置部と、
前記被認証体配置部に配置された前記被認証体に対して前記近赤外光を照射する第１光源と、
前記検出機構の前記透明基板の他方の主面側に配置され、前記近赤外光が照射された前記被認証体を前記透明基板を介して撮影する撮影用カメラと
を具備する情報処理装置。
【請求項２】
請求項１に記載の情報処理装置であって、
前記撮影用カメラにより撮影された映像をもとに前記被認証体の認証を行う手段を
更に具備する情報処理装置。
【請求項３】
請求項２記載の情報処理装置であって、
前記検出機構、前記第１光源及び前記撮影用カメラを保持する筐体を
更に具備する情報処理装置。
【請求項４】
請求項３記載の情報処理装置であって、
前記被認証体配置部に対する操作を検出することにより前記第１光源の点灯が開始される情報処理装置。
【請求項５】
請求項４記載の情報処理装置であって、
前記検出機構と隣接して前記検出機構と前記撮影用カメラとの間に配置された、少なくとも前記近赤外光を透過する目隠し板
を更に具備する情報処理装置。
【請求項６】
請求項２に記載の情報処理装置であって、
前記被認証体と前記撮影用カメラとの間に配置された前記近赤外光のみを透過するフィルタ
を更に具備する情報処理装置。
【請求項７】
請求項６記載の情報処理装置であって、
前記目隠し板は、前記撮影用カメラと前記被認証体との間の撮影空間に対応する領域以外の領域に所望の形状の切り抜き部を有し、
前記切り抜き部に光を照射する第２光源
を更に具備する情報処理装置。
【請求項８】
請求項７記載の情報処理装置であって、
前記前記被認証体配置部に対する操作を検出することにより前記第２光源の点灯が開始される情報処理装置。
【請求項９】
請求項８記載の情報処理装置であって、
前記被認証体と前記第１光源との間に設けられた、前記近赤外光を透過する近赤外光窓
を更に具備する情報処理装置。
【発明の詳細な説明】
【技術分野】
【０００１】
本発明は、生体認証装置及びタッチパッドを備えた情報処理装置に関する。
【背景技術】
【０００２】
各種の電子機器、例えばパーソナルコンピュータ等の情報処理装置には、指を被認証体とした生体認証装置が搭載されているものがある（例えば、特許文献１、２参照）。
これら明細書に記載される電子機器では、入力デバイスであるタッチパッドと生体認証装置は別々に設けられている。
【先行技術文献】
【特許文献】
【０００３】
【特許文献１】特開２００８−７９７９８号公報（段落[００２８]、図１〜図５）
【特許文献２】特開２００８−８３９５５号公報（段落[００３０]、図１〜図５）
【発明の概要】
【発明が解決しようとする課題】
【０００４】
ところが、上述したような電子機器においては、入力デバイスと生体認証装置を別々に設けているため、電子機器全体の小型化が困難であった。
【０００５】
以上のような事情に鑑み、本発明の目的は、情報処理装置全体の小型化にも対応可能な生体認証装置及び入力デバイスを備えた情報処理装置を提供することにある。
【課題を解決するための手段】
【０００６】
上記目的を達成するため、本発明に係る情報処理装置は、二軸の方向に検出用の電極パターンが設けられ近赤外光を透過可能な透明基板を備え、前記透明基板の一方の主面側を入力操作面としてこの入力操作面に物体が触れた前記二軸の空間での位置を検出する検出機構と、前記検出機構の前記入力操作面の近傍に設けられ、前記物体を被認証体として配置させる被認証体配置部と、前記被認証体配置部に配置された前記被認証体に対して前記近赤外光を照射する第１光源と、前記検出機構の前記透明基板の他方の主面側に配置され、前記近赤外光が照射された前記被認証体を前記透明基板を介して撮影する撮影用カメラとを具備する。
【０００７】
本発明によれば、検出機構を近赤外光透過可能とし、撮影用カメラを検出機構の他方の主面側に設け、更に第１光源を設けることにより、撮影装置と入力デバイスとを一体化して構成することができる。これにより、撮影装置と入力デバイスを別々に設ける場合と比較して、これらの設置面積を狭くすることができ、情報処理装置全体の小型化が可能となる。
【０００８】
本発明において、情報処理装置は、前記撮影用カメラにより撮影された映像をもとに前記被認証体の認証を行う手段を更に具備する。これにより、生体認証装置と入力デバイスとを一体化して構成することができる。これにより、生体認証装置と入力デバイスを別々に設ける場合と比較して、これらの設置面積を狭くすることができ、情報処理装置全体の小型化が可能となる。
【０００９】
本発明において、情報処理装置は、前記検出機構、前記第１光源及び前記撮影用カメラを保持する筐体を更に具備する。このように、検出機構、第１光源及び撮影用カメラを１つの筐体で保持することができる。
【００１０】
本発明において、前記被認証体配置部に対する操作を検出することにより前記第１光源の点灯が開始される。このように被認証体配置部を撮影開始又は認証開始のスイッチとして機能させることができる。
【００１１】
本発明において、情報処理装置は、前記検出機構と隣接して前記検出機構と前記撮影用カメラとの間に配置された、少なくとも前記近赤外光を透過する目隠し板を更に具備する。目隠し板を設けることにより、筐体内部の構造が情報処理装置の使用者から見えなくなり、デザイン性が向上する。
【００１２】
本発明において、情報処理装置は、前記被認証体と前記撮影用カメラとの間に配置された前記近赤外光のみを透過するフィルタを更に具備する。これにより、被認証体の静脈パターンを明確に撮影することができる。
【００１３】
本発明において、前記目隠し板は、前記撮影用カメラと前記被認証体との間の撮影空間に対応する領域以外の領域に所望の形状の切り抜き部を有し、前記切り抜き部に光を照射する第２光源を更に具備する。これにより、例えば、撮影中又は認証中に第２光源を点灯するよう構成することができ、第２光源の点灯により情報処理装置の使用者が撮影中又は認証中であることを認識することができる。
【００１４】
本発明において、前記前記被認証体配置部に対する操作を検出することにより前記第２光源の点灯が開始される。第２光源の点灯により、情報処理装置の使用者が撮影中又は認証中であることを認識することができる。
【００１５】
本発明において、情報処理装置は、前記被認証体と前記第１光源との間に設けられた、前記近赤外光を透過する近赤外光窓を更に具備する。これにより、近赤外光窓によって、第１光源は露出することなく収容される。
【発明の効果】
【００１６】
以上のように、本発明によれば、撮影装置又は生体認証装置と、入力デバイスとを備えた情報処理装置を小型化することができる。
【図面の簡単な説明】
【００１７】
【図１】本発明の一実施形態に係るノート型パーソナルコンピュータ（ＰＣ）の開いた状態を示す斜視図である。
【図２】図１に示すＰＣで生体認証を行っている状態を示す斜視図である。
【図３】図１に示すＰＣに組み込まれている生体認証装置付きタッチパッドの分解斜視図である。
【図４】図３の線Ａ−Ａ´で切断した断面図である。
【図５】図３に示す生体認証装置付きタッチパッドの一部を構成する透明入力用シートの分解斜視図である。
【図６】図５の線Ｂ−Ｂ´で切断した断面図である。
【図７】図３に示す生体認証装置付きタッチパッドの部分拡大図であり、生体認証装置の未作動と作動の状態を示す図である。
【図８】生体認証装置による生体認証中の状態を示す生体認証装置付きタッチパッドの平面図である。
【図９】他の実施形態に係るノート型パーソナルコンピュータ（ＰＣ）の開いた状態を示す斜視図である。
【図１０】図９に示すＰＣに組み込まれている生体認証装置付きタッチパッドの分解斜視図である。
【発明を実施するための形態】
【００１８】
以下、本発明の実施の形態を図面に基づき説明する。
【００１９】
図１は、本発明の一実施形態にかかわる情報処理装置としてのノート型パーソナルコンピュータ（ＰＣ）の開いた状態を示す斜視図である。図２は、生体認証させるため被認証体である指を、図１に示すＰＣの生体認証装置付きタッチパッドに載置した状態を示す図である。図３は、生体認証装置付きタッチパッドの分解斜視図である。図４は、図３の線Ａ−Ａ´で切断した概略断面図である。図５は生体認証付きタッチパッドの一部を構成する透明入力用シートの概略分解斜視図である。図６は図５の線Ｂ−Ｂ´で切断した概略断面図である。尚、各図において、各構成をわかりやすく説明するために、適宜各構成によって縮尺の度合いを変えて図示している。
【００２０】
以下の説明にあっては、便宜上、ＰＣの使用状態において使用者から見た方向で前後上下左右の方向を示すものとする。従って、使用者側は前方とする。
【００２１】
図１及び図２に示すように、ＰＣ１は、ディスプレイ２と装置本体３とを備えている。
【００２２】
ディスプレイ２は、装置本体３に回動自在に支持され、横長な扁平な略矩形状に形成された表示用筐体４と、該表示用筐体４に組みつけられた表示パネル５とを有している。
【００２３】
装置本体３は、筐体６の内外に所要の各部が配置されてなる。装置本体３には複数の操作キーを有するキーボード７が設けられている。装置本体３の上面は前端側の部分が使用者の手を載置するパームレスト３ａとして設けられている。
【００２４】
ＰＣ１には、例えば、パームレスト３ａの中央部付近に生体認証装置付きタッチパッド１０が搭載されている。
【００２５】
ＰＣ１の状態で、生体認証装置付きタッチパッド１０の、透明入力用シート２０と、クリックボタン８０と、スイッチボタン５０と、近赤外光窓４０とが露出した状態となっている。
【００２６】
生体認証装置付きタッチパッド１０を用いて生体認証を行う場合、図２に示すように、生体認証装置付きタッチパッド１０のスイッチボタン５０付近に指２００を載置して行う。指の撮影及び生体認証の際、指２００は、爪側の面２００ａが赤外光窓４０側、腹側の面２００ｂが透明入力用シート２０側にくるように、横向きに指を載置する。生体認証装置付きタッチパッド１０に組み込まれている近赤外光ＬＥＤから指２００に向かって近赤外光が出射され、近赤外光が指２００の内部で散乱して静脈パターンの撮影が可能な状態となる。そして、生体認証装置付きタッチパッド１０に組み込まれている撮影用カメラによって腹側の面２００ｂから使用者の指２００の静脈パターンが撮影される。生体認証装置付きタッチパッド１０では、認証動作時の照合対象となる静脈パターンの撮影及びその静脈パターンデータの記録が行われる。更に、認証動作時に、撮影された静脈パターンと予め照合対象として登録されている静脈パターンとの特徴点の照合が行われる。
【００２７】
図３及び図４に示すように、生体認証装置付きタッチパッド１０は、透明入力用シート２０と、透明入力用シート用回路基板１５０と、スモーク板３０と、近赤外光窓４０と、スイッチボタン５０と、ＬＥＤ（発光ダイオード）基板６０と、筐体７０と、クリックボタン８０と、クリックボタン用タッチパッド９０と、メイン基板１００と、カメラ搭載基板１１０と、カメラホルダ１２０と、ＬＥＤ１４０と、近赤外光透過フィルタ１３０と、を有する。
【００２８】
透明入力用シート２０は、静電方式による入力デバイスである。透明入力用シート２０は、ＰＣ１に組み込んだ状態で露出する一方の主面側２０ａが入力操作面となる。静電方式による透明入力用シート２０においては、局所的に静電容量が変化した部位を検出することにより、透明入力用シート２０の入力操作面２０ａに物体、例えば使用者の指が触れた位置、さらにはこの位置の変化を検出するようになされている。尚、本実施形態においては、静電方式の透明入力デバイスを例に挙げたが、これに限定されるものではなく、感圧式、光学式、電磁誘導方式等の透明入力デバイスを用いることもできる。
【００２９】
図５及び図６に示すように、透明入力用シート２０は、Ｘ電極基板２２、Ｙ電極基板２３及びグランド基板２４を順に積層して構成される。Ｘ電極基板２２は、近赤外光を透過可能な透明ポリイミド基板２２１上に、図５上、Ｘ軸方向に延在するストライプ状の検出用のＩＴＯ（Indium  Tin  Oxide）からなるＸ透明電極パターン２２２が印刷されてなる。Ｙ電極基板２３は、近赤外光を透過可能な透明ポリイミド基板２３１上に、図５上、Ｙ軸方向に延在するストライプ状の検出用のＩＴＯからなるＹ透明電極パターン２３２が印刷されてなる。グランド基板２４は、近赤外光を透過可能な透明ポリイミド基板２４１上全面に、ベタでＩＴＯからなるグランド電極２４２が印刷されてなる。このように、透明入力用シート２０は、直交する二軸の方向に検出用の電極パターンが設けられた構成となっている。Ｘ電極基板２２、Ｙ電極基板２３及びグランド基板２４は、それぞれ、矩形の一辺に、入力用シート用回路基板１５０と電気的に接続する配線が設けられた突起部を有している。各突起部に設けられた配線は、同一の基板上に設けられる電極とそれぞれ接続されている。各基板に設けられた突起部は、３枚の基板を積層した際、同一辺上に、かつ、突起部が平面的に重ならないように配置される。入力デバイスとして、透明の入力用シートを採用することにより、近赤外光を透過させ、透明入力用シートを介して後述する撮影用カメラ１１１によって指を撮影することができる。
【００３０】
入力用シート用回路基板１５０は、基板１５３上に演算回路１５２、コネクタ１５１及び演算回路１５２とコネクタ１５１とを電気的に接続する配線（図示せず）等が設けられて構成される。３つのコネクタ１５１は、それぞれ、透明入力用シート２０のＸ透明電極パターン２２２、Ｙ透明電極パターン２３２、グランド電極２４２に電気的に接続される。
【００３１】
透明入力用シート２０及び入力用シート用回路基板１５０により検出機構が構成される。Ｘ透明電極パターン２２２、Ｙ透明電極パターン２３２、グランド電極２４２それぞれの検出出力はコネクタ１５１を介して演算回路１５２に入力され、二軸の空間での位置、すなわちＸＹ座標の特定が行われる。各Ｘ透明電極パターン２２２及びＹ透明電極パターン２３２には所定電圧がかけられ、Ｘ透明電極パターン２２２とＹ透明電極パターン２３２との間には電荷が形成される。指による接触によりその電荷が変化し、Ｘ透明電極、Ｙ透明電極それぞれに流れる電流が変化する。この変化を検出することによってＸＹ座標が特定でき、指の位置が検出される。尚、透明入力用シートは、上述に記載した構成、例えば、電極基板の積層順、電極パターンの形状、電極基板の層構造、検出方法等に、限定されるものではない。
【００３２】
図３及び図４に示すように、矩形状のスモーク板３０は、透明入力用シート２０の入力操作面２０ａと対向する他方の主面側２０ｂに、該透明入力用シート２０と隣接して設けられる。スモーク板３０は、透明入力用シート２０と後述する撮影用カメラ１１１との間に配置され、筐体７０の内部を使用者から目隠しする目隠し板として使用され、デザイン性を高めるものである。スモーク板３０は、少なくとも近赤外光を透過させる材質のものを用いることができる。スモーク板３０は、例えば黒色にしてもよいし、筐体６と同一色にして一体感があるようなデザインとしてもよいし、これらの色に限定されるものではない。本実施形態において、スモーク板３０の一部に、所定の形状で切り抜かれている切り抜き部３１を設けている。本実施形態においては、切り抜き部３１の形状を円形としたが、これに限定されず、この所定の形状は他の形状にしてもよい。
【００３３】
第２光源としてのＬＥＤ１４０は、スモーク板３０の切り抜き部３１の下方に位置し、筐体７０に固定されている。ＬＥＤ１４０は、生体認証装置が作動した際に、切り抜き部３１にむかって白色光を照射する。これにより、透明入力用シート２０の一部に所定の形状が白く映し出され、使用者が生体認証中であることを認識することができる。このように、スモーク板３０に設けた切り抜き部３１をファンクションキーとして使用することができる。また、後述する撮影用カメラ１１１による指の撮像終了時、又は生体認証が終了時に、ＬＥＤ１４０が消灯するようにしてもよく、透明入力用シート２０上に所定の形状が消えることにより、撮影の終了又は生体認証の終了を、使用者が認識することができる。
【００３４】
ＬＥＤ基板６０は、基板６１上に、近赤外光を照射する第１光源としての近赤外光ＬＥＤ６２が例えば４つ配列されて構成される。近赤外光ＬＥＤ６２は、指の静脈パターンを撮影するため、指２００に対して近赤外光を照射するものである。基板６１は突起部６３を有し、突起部６３の先端部は、メイン基板１００と電気的に接続されている。基板６１上には配線が形成されており、該配線を介して近赤外光ＬＥＤ６２とメイン基板１００上のＩＣ（Integrated  Circuit）１０１とが電気的に接続する。近赤外光６２から出射された近赤外光が照射された指２００は、透明入力用シート２０を介して、後述する撮影用カメラ１１１に撮影される。
【００３５】
矩形状の近赤外光窓４０は、近赤外光のみを透過する基板からなり、ＬＥＤ基板６０とスイッチボタン５０に配置された被認証体との間に配置される。近赤外光窓４０のＹ軸方向の長さは、透明入力用シート２０のＹ軸方向の長さとほぼ同じである。近赤外光ＬＥＤ６２から射出される光は、近赤外光窓４０を透過して、指２００に照射される。近赤外光窓４０によって、ＬＥＤ基板６０は露出することなく収容される。
【００３６】
スイッチボタン５０は、ＰＣ１に組み込まれた状態で、その露出部分である被認証体配置部５１が、上方からみて、近赤外光窓４０と透明入力用シート２０との間に位置し、透明入力用シート２０の近傍に配置される。本実施形態において、スイッチボタン５０は、被認証体である指の撮影をする際の指の配置位置を示し、指を載置する被認証体載置台であり、かつ、指の撮影又は生体認証を開始するスイッチとして機能する。尚、スイッチとして、タクトスイッチ、静電容量スイッチ等を用いることもできる。
【００３７】
図７は、生体認証装置付きタッチパッド１０の部分拡大図である。図８は、撮影中及び生体認証中の生体認証装置付きタッチパッド１０の平面図である。
【００３８】
生体認証装置が未作動の場合、図７（ａ）に示すように、スイッチボタン５０の被認証体配置部５１の表面は、透明入力用シート２０及び近赤外光窓４０それぞれの表面と面一の状態となっている。
【００３９】
スイッチボタン５０の被認証体配置部５１に指２００が載置され、図７（ｂ）に示すように、指２００によって下方にスイッチボタン５０が押圧されることによって非認証体配置部５１に対する操作が検出され、撮影用カメラによる撮影及び生体認証装置の作動が開始される。具体的には、指２００に近赤外光を照射する近赤外光ＬＥＤ６２が点灯し、更に、後述する撮影用カメラ１１１による撮影が開始される。更に、本実施形態においては、ＬＥＤ１４０が点灯し、撮影中及び生体認証中は、図８に示すように、透明入力用シート２０に部分的に所定の形状が白く点灯する。このように、本実施形態では、スイッチボタン５０の押圧と、近赤外光ＬＥＤ６２及びＬＥＤ１４０の点灯、撮影用カメラ１１１の撮影開始が連動している。
【００４０】
筐体７０は、透明入力用シート２０、スモーク板３０、ＬＥＤ基板６０、撮影用カメラ１１１、スイッチボタン５０、及び近赤外光窓４０を収容、保持するものである。筐体７０は、平面（ＸＹ平面）的に見て、略矩形状を有している。図４に示すように、筐体７０は、Ｘ軸方向に沿って分割された、透明入力用シート２０が配置される第１領域７５と、スイッチボタン５０の露出部５１が配置される第２領域７６と、ＬＥＤ基板６０が配置される第３領域７７とを有している。
【００４１】
筐体７０の第１領域７５では、筐体７０の外周の一部に沿って第１壁７９が設けられており、第１壁７９によって透明入力用シート２０のＸＹ平面内の位置決めがなされる。透明入力用シート２０の突起部が配置される部分に対応する位置には、第１壁７９は設けられていない。さらに、筐体７０の第１領域７５では、第１壁７９の内側に第１壁７９よりも低い高さで第２壁７１が設けられており、第２壁７１によって透明入力用シート２０の周縁部の一部を保持している。
【００４２】
第２壁７１によって囲まれてなる第１凹部７２内には、スモーク板３０が配置、保持される。第２壁７１によって、スモーク板３０のＸＹ平面内の位置決めがなされる。
【００４３】
第１凹部７２には更に、撮影用カメラ１１１が配置される第２凹部７３が設けられている。第２凹部７３のＸＹ平面における開口形状は、近赤外光ＬＥＤ６２から遠ざかるにつれＸ軸方向に沿った幅が狭くなっていく台形形状を有している。第２凹部７３は、底面７３ａと、撮影用カメラ１１１が配置される側面７３ｂを備え、底面７３ａには筐体７０をＺ軸方向に貫通する取付孔７３ｃが設けられている。
【００４４】
底面７３ａは、近赤外光ＬＥＤ６２から遠ざかるにつれ凹部の深さ（Ｚ軸方向）が深くなっていくよう斜度を有し、かつＸ軸方向に沿った幅が近赤外光ＬＥＤ６２から遠ざかるにつれ狭くなるように形成されている。このような形状の第２凹部７３を設けることにより、指２００を撮影用カメラ１１１によって撮影する際に、筐体７０によって、撮影空間が遮られることがない。また、底面７３ａは、厚みがほぼ均等となるように構成されている。そのため、第２凹部７３の下方部にも、空間１７１が生じ、この空間１７１内にメイン基板１００などを配置することができ、これにより、生体認証装置付きタッチパッド１０を全体的に小型化することができる
【００４５】
側面７３ｂは、第２凹部７３の開口形状である台形の上辺に対応して位置し、指２００を撮影しやすいように、指に向かって斜めに撮影用カメラ１１１を配置させるために斜度を有している。
【００４６】
取付孔７３ｃは、撮影用カメラ１１１が設けられたカメラ搭載基板１１０を筐体７０の下方（裏面）側から挿入するための孔となっている。
【００４７】
筐体７０の第１領域７５のうち、撮影用カメラ１１１と指２００との間の撮影空間以外の、指２００の撮影に影響されない第４領域７８に、スモーク板３０の切抜き部３１及びＬＥＤ１４０が配置される。これにより、ＬＥＤ１４０の光が撮影時に影響することなく、認証を的確に行うことができる。尚、ＬＥＤ１４０は、第１凹部７２の切り抜き部に対応する領域に第４凹部１７３を設け、該第４凹部１７３内に配置される。
【００４８】
図４に示すように、第４領域７８において、筐体７０を下方（裏面）側から見ると凹部が存在するが、この凹部には図示しない駆動回路基板が位置するよう配置される。
【００４９】
筐体７０の第２領域７６及び該第２領域７６に隣接する第１領域７５の一部には、スイッチボタン５０が配置される第３凹部１７２が形成されている。
【００５０】
筐体７０の第３領域７７では、筐体７０の内部にＬＥＤ基板６０が配置、保持される斜面７７ａが形成されている。斜面７７ａは、指２００に対して近赤外光ＬＥＤ６２からの近赤外光が効率よく照射されるように斜度を有している。近赤外光ＬＥＤ６２からの光が第２領域７６に入射しないように第２領域７６と第３領域７７との間は壁によって分離されている。
【００５１】
カメラ搭載基板１１０は、カメラ載置部１１３を有するフレキシブル基板１１２と、カメラ載置部１１３上に固定配置された撮影用カメラ１１１とから構成される。カメラ搭載基板１１０のカメラ載置部１１３は、筐体７０の下方（裏面）側から取付孔７３ｃを通って筐体７０の側面７３ｂに取り付けられている。カメラ搭載基板１１０のカメラ載置部１１３以外の基板部分は折り曲げられ、端部は空間１７１内に配置されるメイン基板１００と電気的に接続する。
【００５２】
カメラホルダ１２０は、筐体７０の下方（裏面）側に配置して、カメラ搭載基板１１０と筐体７０とを固定保持するものである。
【００５３】
近赤外光透過フィルタ１３０は、指２００と撮影用カメラ１１１との間、本実施形態においては撮影用カメラ１１１の直前に配置される、近赤外光のみを透過するフィルタである。指２００は、近赤外光透過フィルタ１３０を介して撮影用カメラ１１１で撮影される。これにより、被認証体の静脈パターンを明確に撮影することができる。尚、ここで、スモーク板３０に、近赤外光のみを透過する材質を用いる場合、近赤外光透過フィルタ１３０を省略することができる。また、近赤外光窓４０を透明入力用シート２０の他方の主面側２０ｂに位置するように延在することによって、スモーク板の代替も兼ねる構成としてもよく、部品点数を少なくすることができる。一般に近赤外光のみを透過する板は高価である。そのため、本実施形態のように、撮影用カメラ１１１の直前にのみ近赤外光のみを透過する近赤外光透過フィルタを配置することにより、近赤外光透過フィルタの面積を少なくすることができ、コストを低下させることができる。
【００５４】
クリックボタン８０は、右クリックボタンと左クリックボタンを有する。クリックボタン８０の下方にはクリックボタン用タッチパッド９０が配置される。右クリックボタン及び左クリックボタンを下方に向かって使用者が指等で押すことにより、クリックボタン用タッチパッド９０で入力が認識される。
【００５５】
メイン基板１００には、ＩＣ１０１が搭載される。ＩＣ１０１には、撮影用カメラにより撮影された映像をもとに被認証体の認証を行う手段としての生体認証の認証回路や生体認証データ（静脈パターン）を記録するメモリが入っている。メイン基板１００は、ＬＥＤ基板６０、カメラ搭載基板１１０及びＬＥＤ１４０とそれぞれ電気的に接続している。そして、認証動作時の照合対象となる静脈パターンの撮影する場合においては、スイッチボタン５０の被認証体配置部５１が押圧されることにより非認証体配置部５１に対する操作が検出される。スイッチボタン５０の押圧されることにより、近赤外光ＬＥＤ６２及びＬＥＤ１４０が点灯され、かつ撮影用カメラ１１１の撮影が開始されるよう、ＩＣ１０１によって制御される。そして、撮影終了に伴い、ＩＣ１０１により、近赤外光ＬＥＤ６２及びＬＥＤ１４０が消灯されるよう制御される。ＬＥＤ１４０の消灯により、ＰＣ１の使用者は、撮影の終了を認識できる。撮影終了後、撮影された静脈パターンデータの記録が行われる。また、認証動作時においては、スイッチボタン５０の被認証体配置部５１が押圧されることにより、ＩＣ１０１により、近赤外光ＬＥＤ６２及びＬＥＤ１４０が点灯され、かつ撮影用カメラ１１１の撮影が開始されるよう制御される。そして、撮影終了に伴い、ＩＣ１０１により、近赤外光ＬＥＤ６２及びＬＥＤ１４０が消灯されるよう制御される。ＬＥＤ１４０の消灯により、ＰＣ１の使用者は、撮影の終了を認識できる。撮影終了後、ＩＣ１０１により、撮影された静脈パターンと予め照合対象として登録されている静脈パターンとの特徴点の照合による認証が行われる。尚、ここでは、撮影終了時にＬＥＤ１４０を消灯したが、認証動作終了時にＬＥＤ１４０が消灯するようにしてもよく、使用者は認証終了をＬＥＤ１４０の消灯により認識することができる。
【００５６】
本実施形態においては、撮影及び生体認証の開始を、スイッチボタン５０により行っているが、これに限定されるものではない。例えば、静電容量方式のボタンを採用し、透明入力用シートの特定の領域に指が触れることにより撮影及び生体認証が開始されるようにしてもよい。
【００５７】
本実施形態では、透明入力用シート２０の右側にスイッチボタン５０を設けたが、当然のことながら透明入力用シートの左側にスイッチボタンを設けてもよい。この場合、スイッチボタンの左側に近赤外光ＬＥＤが配置される。
【００５８】
本実施形態では、ＰＣに生体認証装置付きタッチパッドを適用した場合について説明したが、他の情報処理装置として、銀行のＡＴＭ、携帯情報端末、携帯電話やスマートフォンなどにも適用できる。また、上述の実施形態では、表示パネルとタッチパッドが別々に設けられているが、例えば、表示パネル上に、透明入力用シートが位置するよう生体認証装置付きタッチパッドを設け、スイッチボタン５０の代わりとしてもよい。
【００５９】
また、本実施形態では、ＰＣに生体認証装置付きタッチパッドを設けることにより、ＰＣの使用者の認証を行えるが、ネットバンキングでの本人確認のための被認証体の撮影に利用することもできる。この場合、生体認証装置付きタッチパッドに認証機能を設ける必要がなく、撮影機能さえあればよく、撮影装置付きタッチパッドとしてもよい。
【００６０】
また、上述の実施形態においては、生体認証装置付きタッチパッドにクリックボタンを設けているが、図９及び図１０に示すように、クリックボタンのない生体認証装置付きタッチパッド２１０とすることもできる。図９は生体認証装置付きタッチパッド２１０が組み込まれたＰＣ２０１斜視図であり、図１０は生体認証装置付きタッチパッド２０１の分解斜視図である。尚、上述の実施形態と同じ構造については同様の符号を付している。このようにクリックボタンを設けない構成では、透明入力用シート２０及びこれに隣接する被認証体配置部５１を装置本体３の前端側により近付けて配置することができる。そのため、例えば右手の人差し指を被認証体として被認証体配置部５１に載置した時に、中指、薬指、小指はＰＣ２０１の外側に位置させることができ、人差し指の載置がしやすく、操作性がよい。
【００６１】
また、上述の実施形態においては、タッチパッドの右側に指を載置する被認証体配置部を設けたが、タッチパッドの左側、手前側、又は、奥側に配置することもできる。例えば、左手の指を被認証体として登録する場合には、タッチパッドの左側に被認証体配置部を設けると操作性がよい。
【００６２】
以上のように、本実施形態においては、タッチパッドの透明入力用シートの操作面２０ａと対向する主面側（透明入力シートの下方側）に撮影用カメラを配置し、近赤外光ＬＥＤを設けることによって、タッチパッドと、生体認証装置（又は撮影装置）とを、一体化することができる。これによりタッチパッドと生体認証装置（又は撮影装置）とを、別々に設ける場合と比較して設置面積を小さくすることができ、生体認証装置（又は撮影装置）付きタッチパッドが組み込まれる情報処理装置の小型化が可能となる。
【符号の説明】
【００６３】
１、２０１…ＰＣ
２０…透明入力用シート
２０ａ…入力操作面
２０ｂ…他方の主面
３０…スモーク板
４０…近赤外光窓
３１…切り抜き部
５１…被認証体配置部
６２…近赤外光ＬＥＤ
７０…筐体
１１１…撮影用カメラ
１３０…近赤外光透過フィルタ
１４０…ＬＥＤ
１５０…入力用シート用回路基板
２００…指
２２１、２３１…透明ポリイミド基板
２２２…Ｘ透明電極パターン
２３２…Ｙ透明電極パターン
【図１】
2010186289.tif 000003
【図２】
2010186289.tif 000004
【図３】
2010186289.tif 000005
【図４】
2010186289.tif 000006
【図５】
2010186289.tif 000007
【図６】
2010186289.tif 000008
【図７】
2010186289.tif 000009
【図８】
2010186289.tif 000010
【図９】
2010186289.tif 000011
【図１０】
2010186289.tif 000012